(57)【要約】【課題】画像読取装置において、読取ユニットがプラテンガラスとコンタクトガラスとの間に配されたガイド体の下を移動するときに、読取ユニットがガイド体を乗り越える必要をなくし、ガイド体との接触による読取ユニットへの衝撃を低減する。【解決手段】ガイド体２０を構成するシール片２７を、ガイドコア２５およびガイド片２６と別体に形成し、読取ユニット３０の載置原稿読取位置から搬送原稿読取位置への移動に伴って、シール片２７のみが副走査方向に移動するように構成する。このように、シール片２７を移動可能に構成していると、シール片２７に対する乗り越え動作を行うことなく、読取ユニット３０を載置原稿読取位置から搬送原稿読取位置へ、或いは搬送原稿読取位置から載置原稿読取位置へ移動させることができる。従って、読取ユニット３０への衝撃を抑えることができる。【選択図】図１
2012129649.tif 000002
【特許請求の範囲】
【請求項１】
プラテンガラスと、コンタクトガラスと、これらプラテンガラスとコンタクトガラスの間に配されたガイド体とを備える原稿載置台と、
前記原稿載置台の内部に副走査方向に走行移動可能に配されて、前記プラテンガラスの上面に載置された載置原稿を読み取る載置原稿読取位置と、自動原稿搬送装置により前記コンタクトガラスの上面に搬送された搬送原稿を読み取る搬送原稿読取位置との間で副走査方向に移動可能に構成された読取ユニットと、
前記読取ユニットを副走査方向に移動させるための駆動機構と、
を備え、
前記ガイド体は、前記コンタクトガラスと前記プラテンガラスとの間に介在されて、両ガラスの間の隙間を埋めるガイドコアと、該ガイドコアの上面に形成されて、前記搬送原稿を上向きに案内するガイド片と、該ガイドコアの下面に突出状に形成されて、該ガイドコアと前記コンタクトガラス及び／又はプラテンガラスの隙間からの塵埃の侵入を防ぐことを目的として、主走査方向に長く形成されたシール片とを備え、
前記シール片が、前記ガイドコアおよびガイド片と別体に形成されており、前記読取ユニットの前記載置原稿読取位置から前記搬送原稿読取位置への移動に伴って、該シール片が副走査方向に移動するように構成されていることを特徴とする画像読取装置。
【請求項２】
前記シール片は、前記ガイドコアと前記コンタクトガラス及び／又はプラテンガラスとの境界部に位置して、該境界部の隙間を封止する封止位置と、該封止位置よりもコンタクトガラス側に位置する移動位置との間で副走査方向に移動可能に構成されており、
原稿載置台には、前記シール片に対して、前記封止位置に向かう付勢力を与える付勢部材が設けられており、
前記駆動機構の駆動力を受けて、前記読取ユニットが前記載置原稿読取位置から前記搬送原稿読取位置に移動したとき、前記シール片は、前記付勢部材の付勢力に抗しながら、前記読取ユニットにより前記移動位置に従動的に移動され、
前記読取ユニットが、前記搬送原稿読取位置から前記載置原稿読取位置に移動したとき、前記シール片が、前記付勢部材の付勢力により、前記移動位置から前記封止位置に移動されるように構成されている、請求項１記載の画像読取装置。
【請求項３】
前記原稿載置台の主走査方向の両端部には、前記シール片の主走査方向の両端部を支持する支持機構が設けられており、
前記支持機構に、前記シール片の主走査方向の両端部のそれぞれを、前記封止位置に付勢するための前記付勢部材が設けられており、
前記支持機構に、前記封止位置におけるシール片の移動限界を規制するための規制部が設けられている、請求項２記載の画像読取装置。
【発明の詳細な説明】
【技術分野】
【０００１】
本発明は、例えばコピー機、スキャナー、ファクシミリなどに適用される画像読取装置に関する。
【背景技術】
【０００２】
この種の画像読取装置における原稿画像の読取形態には、プラテンガラス上に載置した載置原稿を読取ユニットで読み込む形態と、自動原稿搬送装置（ＡＤＦ）で原稿を搬送しながら読取ユニットで読み込む形態とがあることは広く知られている。また、ＡＤＦで送られた搬送原稿の読取位置の上面を、プラテンガラスとは別体のコンタクトガラスで覆うことも広く知られている。これらプラテンガラスとコンタクトガラスとの間には、ＡＤＦで搬送された原稿を上方に向かって案内するためのガイド体が装着されており、このガイド体を位置基準にして載置原稿をプラテンガラス上に載置することができるようになっている。
【０００３】
一方、ガイド体の下面には、ガイド体とガラス（プラテンガラス或いはコンタクトガラス）との境界部からの塵埃の侵入を防ぐためのシール片が設けられることがある。かかるシール片は、ガイド体の下面から副走査方向に伸びて、ガラスの下面に至っており、ガラスを下方より支持する支持材としての役割も果たす。このようにガイド体にシール片が設けられていると、該シール片とガラスの間に段差ができることが避けられない。このため、段差を乗り越える際に読取ユニットに衝撃が加わり、読取ユニットの焦点位置がずれて、安定した原稿読取が不可能となるおそれがある。また、衝撃により読取ユニットが振動し、振動が収束する前に読取動作が開始されると、原稿の読取精度が低下するという問題もある。
【０００４】
このため、従来より、ガイド体を乗り越える際に読取ユニットに加わる衝撃や振動の軽減を図る試みが種々なされている。例えば、特許文献１の実施形態２（図８）および実施形態３（図９）では、読取ユニットの上部にローラを設けることで、円滑に段差を乗り越えることができるようにしている。読取ユニットの上部にローラを備える形態は、特許文献２に係る画像読取装置にも見受けられる。特許文献１の実施形態４（図１０）では、ガイド体側にアームを設け、読取ユニット側にアームのＹ字状の先端で受け止められるボスを設けている。そして、読取ユニットがガイド体の下方に至ると、アームの基端を中心として円弧を描きながら読取ユニットが移動することで、ガイド体に接触することなく読取ユニットが移動できるようにしている。
【０００５】
特許文献３では、読取ユニットがガイド体を乗り越える際に、駆動モータ、ピニオンギヤおよびラックを備える変位機構で読取ユニットを下げることにより、ガイド体の下面に読取ユニットが接触することを防いでいる。特許文献４では、読取ユニットにコロを設け、該コロが副操作方向の両端部に設けられた潜行カムに接触することにより、読取ユニットがプラテンガラスから離間するようにしている。
【先行技術文献】
【特許文献】
【０００６】
【特許文献１】特開平１０−１８６５３５号公報
【特許文献２】特開２００６−１１５０３１号公報
【特許文献３】特開平０７−２８８６５６号公報
【特許文献４】特開２００５−１８４７２０号公報
【発明の概要】
【発明が解決しようとする課題】
【０００７】
しかし、上記の特許文献１に係る従来の画像読取装置では、読取ユニットに加わる衝撃を完全に排除することはできない。すなわち、特許文献１の実施形態１では、規制部材がガイド体に接触しながらガイド体を乗り越えるようになっている。このため、プラテンガラスと規制部材との間に僅かでも段差があると、当該段差を乗り越える際に読取ユニットに衝撃が加わり、読取ユニットが振動することが避けられない。特許文献１の実施形態２、３、および特許文献２においても同様であり、ローラが段差を乗り越える際に読取ユニットに衝撃が加わることが避けられない。特許文献４の形態においても、潜行カムとプラテンガラスとの間の段差をコロが乗り越える際に、読取ユニットに衝撃が加わるおそれがある。
【０００８】
特許文献１の実施形態４においては、ガイド体側のアームに読取ユニット側のボスが衝突する際に、読取ユニットに衝撃が加わるおそれがある。加えて、アームを設けた分だけ部品点数が増加し、結果として画像読取装置の製造コストの上昇を招来する不利もある。特許文献３の形態では、読取ユニットに加わる衝撃を小さくできるものの、駆動モータ、ピニオンギヤおよびラックを含む変位機構により読取ユニットを下方に変位させるものであるため、画像読取装置の製造コストが著しく増加する不利がある。
【０００９】
本発明は、簡単な構成で以ってガイド体の下を読取ユニットが移動するときに、読取ユニットがガイド体を乗り越える必要をなくし、ガイド体との接触による読取ユニットへの衝撃を低減することができ、従って、コストアップを招来すること無く、原稿読取精度に優れた画像読取装置を提供することを目的とする。
【課題を解決するための手段】
【００１０】
本発明に係る画像読取装置は、プラテンガラス１０と、コンタクトガラス１９と、これらプラテンガラス１０とコンタクトガラス１９の間に配されたガイド体２０とを備える原稿載置台１２と、原稿載置台１２の内部に副走査方向に走行移動可能に配されて、プラテンガラス１０の上面に載置された載置原稿を読み取る載置原稿読取位置と、自動原稿搬送装置によりコンタクトガラス１９の上面に搬送された搬送原稿を読み取る搬送原稿読取位置との間で副走査方向に移動可能に構成された読取ユニット３０と、読取ユニット３０を副走査方向に移動させるための駆動機構３２とを備える。ガイド体２０は、コンタクトガラス１９とプラテンガラス１０との間に介在されて、両ガラス１９・１０の間の隙間を埋めるガイドコア２５と、ガイドコア２５の上面に形成されて、搬送原稿を上向きに案内するガイド片２６と、ガイドコア２５の下面に突出状に形成されて、ガイドコア２５とコンタクトガラス１９及び／又はプラテンガラス１０の隙間からの塵埃の侵入を防ぐことを目的として、主走査方向に長く形成されたシール片２７とを備える。シール片２７が、ガイドコア２５およびガイド片２６と別体に形成されている。そして、読取ユニット３０の載置原稿読取位置から搬送原稿読取位置への移動に伴って、シール片２７が副走査方向に移動するように構成されていることを特徴とする。
【００１１】
シール片２７は、ガイドコア２５とコンタクトガラス１９及び／又はプラテンガラス１０との境界部に位置して、境界部の隙間を封止する封止位置と、封止位置よりもコンタクトガラス１９側に位置する移動位置との間で副走査方向に移動可能に構成されている。原稿載置台１２には、シール片２７に対して封止位置に向かう付勢力を与える付勢部材６２が設けられている。駆動機構３２の駆動力を受けて、読取ユニット３０が載置原稿読取位置から搬送原稿読取位置に移動したとき、シール片２７は、付勢部材６２の付勢力に抗しながら、読取ユニット３０により移動位置に従動的に移動される。読取ユニット３０が、搬送原稿読取位置から載置原稿読取位置に移動したとき、シール片２７が、付勢部材６２の付勢力により、移動位置から前記封止位置に移動されるように構成されている。
【００１２】
原稿載置台１２の主走査方向の両端部には、シール片２７の主走査方向の両端部を支持する支持機構が設けられている。支持機構に、シール片２７の主走査方向の両端部のそれぞれを、封止位置に付勢するための付勢部材６２が設けられている。支持機構に、封止位置におけるシール片２７の移動限界を規制するための規制部６６が設けられている。
【発明の効果】
【００１３】
本発明においては、ガイド体２０を構成するシール片２７を、ガイドコア２５およびガイド片２６と別体に形成した。また、読取ユニット３０の載置原稿読取位置から搬送原稿読取位置への移動に伴って、シール片２７が副走査方向に移動するように構成した。このように、シール片２７を移動可能に構成していると、シール片２７に対する乗り越え動作を行うことなく、読取ユニット３０を載置原稿読取位置から搬送原稿読取位置へ、或いは搬送原稿読取位置から載置原稿読取位置へ移動させることができる。以上より、読取ユニット３０がガイド体２０のシール片２７を乗り越える際の衝突衝撃により、読取ユニット３０の焦点位置が位置ズレすること、或いは読取ユニット３０が振動することなどを防ぐことができる。従って、読取ユニット３０がガイド体２０の下を移動するときに上下に移動することがなく、読取ユニット３０への衝撃を抑えることができ、原稿の読取精度に優れた画像読取装置を得ることができる。
【００１４】
また、本発明においては、駆動機構３２の駆動力を受けて搬送原稿読取位置に移動する読取ユニット３０により、シール片２７が封止位置から移動位置へ従動的に移動されるようにした。また、付勢部材６２の付勢力により、シール片２７は移動位置から封止位置に移動されるようにした。これによれば、シール片２７を移動位置、或いは封止位置に移動させるための専用の駆動機構を設ける必要が無く、その分だけ、構造の簡素化を図ることができる。また、シール片２７の移動タイミングの制御等も不要であり、簡単に、最良のタイミングで、移動位置と封止位置との間でシール片２７を移動させることができる。
【００１５】
また本発明においては、原稿載置台１２の主走査方向の両端部に支持機構を設けるとともに、各支持機構にシール片２７の主走査方向の両端部のそれぞれを封止位置に付勢するための付勢部材６２を設けた。また、支持機構に、封止位置におけるシール片２７の移動限界を規制するための規制部６６を設けた。このように、シール片２７の主走査方向の両端部のそれぞれを封止位置に向かって付勢部材６２で付勢するとともに、規制部６６によりシール片２７の封止位置における移動限界を規制するようにしていると、封止位置にシール片２７を位置させることができる。このことは、シール片２７により、ガイドコア２５とコンタクトガラス１９及び／又はプラテンガラス１０の隙間から原稿載置台１２内への塵埃の侵入を防ぐことができることを意味し、画像読取装置の動作不良等の発生を抑えて、信頼性に優れた画像読取装置を得ることができる。
【図面の簡単な説明】
【００１６】
【図１】本発明に係る画像読取装置の要部の縦断正面図である。
【図２】本発明に係る画像読取装置が適用される画像形成装置（複合機）の概略構造を示す図である。
【図３】原稿載置台を開姿勢とした状態の画像読取装置の平面図である。
【図４】画像読取装置の要部の縦断正面図である。
【図５】画像読取装置の要部の縦断側面図である。
【図６】画像読取装置の動作を説明するための平面図である。
【発明を実施するための形態】
【００１７】
（実施例）  図１から図６に、本発明に係る画像読取装置を、コピー機能とファクシミリ機能とを備えた複合機に適用した実施形態を示す。なお、本実施例における前後、左右、上下とは、図１、図２、図５および図６に示す交差矢印と、各矢印の近傍に表記した前後、左右、上下の表示に従う。なお、本実施例において、前後方向は「主走査方向」と同一の方向を示しており、左右方向は「副走査方向」と同一の方向を示している。
【００１８】
図２に示すように、複合機１は、給紙カセット２、該給紙カセット２から用紙給送路３を経て送られてきた記録用紙４に対してトナー画像を転写して画像形成を行う画像記録装置５を備える。また、複合機１は、画像記録装置５を経た記録用紙４に対して加熱・加圧処理を施してトナー像を記録用紙４に定着させる定着装置６と、これら画像記録装置５および定着装置６の上方に配された画像読取装置７とを備える。画像読取装置７の上面には、各種操作ボタンを有する操作パネル８と、自動原稿搬送装置（以下、ＡＤＦと記す。）９とが設けられている。
【００１９】
図２および図３に示すように、画像読取装置７は、読取対象となる原稿が載置されるプラテンガラス１０等が配設された原稿載置台１２と、原稿をプラテンガラス１０上に押圧するための原稿押さえカバー１３とを備える。原稿押さえカバー１３は、左右一対のヒンジ１４・１４まわりに開閉可能に構成されており、その筐体内にＡＤＦ９が配設されている。
【００２０】
図１および図３に示すように、原稿載置台１２を構成する筐体１５は、上方開口を有する有底容器状のボトムフレーム１６と、該ボトムフレーム１６の上方開口を閉じるフレームカバー１７などで構成される。フレームカバー１７は、中央開口部を有する四角枠状に形成されており、この中央開口部にプラテンガラス１０、コンタクトガラス１９、ガイド体２０、および、これらプラテンガラス１０等を固定するための固定カバー２１が配設されている。固定カバー２１は、四角枠状に形成されたプラスチック成形品であり、プラテンガラス１０の前後および右方の三周縁と、コンタクトガラス１９の前後および左方の三周縁と、ガイド体２０の前後縁に重合して、これらプラテンガラス１０等の浮き上がりを防止する。
【００２１】
ガイド体２０は、プラテンガラス１０とコンタクトガラス１９との間に介在されて、両ガラス１０・１９の間の隙間を埋めるガイドコア２５と、ガイドコア２５の上面に形成された搬送原稿を上向きに案内する断面楔状のガイド片２６と、ガイドコア２５の下面に形成されたシール片２７とで構成される。シール片２７は、ガイドコア２５とコンタクトガラス１９の隙間から原稿載置台１２の内部に塵埃が侵入することを防ぐことを目的として配設される。ガイドコア２５とガイド片２６とは一体に形成された樹脂成形品である。シール片２７は、これらガイドコア２５およびガイド片２６とは別体に形成されている。
【００２２】
図４に示すように、プラテンガラス１０とコンタクトガラス１９とをフレームカバー１７に装着したとき、両ガラス１０・１９の下面は同一の高さ位置にあるように設定されている。ガイド体２０を構成するシール片２７の下面は、これらプラテンガラス１０およびコンタクトガラス１９の下面よりも下方に突出しており、左右方向に係る幅方向の半分がコンタクトガラス１９の下面に位置し、残り半分がガイドコア２５の下面に位置している。図４において、符号２８は、ＡＤＦ９の搬送路のガイド体２０よりも上流側に配されて、バネ２９の付勢力により搬送原稿をコンタクトガラス１９に押し付ける押さえ枠を示す。
【００２３】
図３および図５に示すように、ボトムフレーム１６には、載置原稿および搬送原稿を読み取る読取ユニット３０と、読取ユニット３０を左右の走査方向（副走査方向）に沿って移動案内する一本のガイド軸３１とが配設されている。ここで言う載置原稿とは、プラテンガラス１０の上面に載置された原稿を意味し、搬送原稿とは、ＡＤＦ９によりコンタクトガラス１９の上面に搬送された原稿を意味する。また、ボトムフレーム１６には、ガイド軸３１に沿って読取ユニット３０を移動させるベルト駆動機構（駆動機構）３２が配設されている。ベルト駆動機構３２は、ボトムフレーム１６の右奥のコーナー部に配されたモータを含む減速機構３３と、減速機構３３の減速軸に固定された原動プーリ３４と、ボトムフレーム１６の左奥コーナー部に配された従動プーリ３５とを含む。両プーリ３４・３５の間には、無端ベルト３６が巻き掛けられている。
【００２４】
図１、図４および図５に示すように、読取ユニット３０は、キャリッジケース４０と、キャリッジケース４０内に設けられたコンタクトイメージセンサユニット（以下、ＣＩＳユニットと記す。）４１とで構成される。キャリッジケース４０は、上方開口を有する前後横長の有底容器状に形成されている。図３および図５に示すように、キャリッジケース４０の後方端には、ガイド軸３１の挿通を許すガイド孔４２を有する左右一対のホルダ４３・４３が形成されている。読取ユニット３０は、これら二つのホルダ４３・４３にガイド軸３１で支持された状態で、左右の水平方向（副走査方向）に移動可能に構成されている。キャリッジケース４０の後端部には、無端ベルト３６を挟持保持するベルトクランプ４４が設けられており、無端ベルト３６の回転に伴ってガイド軸３１に沿って読取ユニット３０を左右の走査方向（副走査方向）に移動させることができる。
【００２５】
図５に示すように、ボトムフレーム１６の底面の前方寄りには、読取ユニット３０を案内支持するためのガイドレール３７が形成されている。ガイドレール３７は、副走査方向に長く形成されており、読取ユニット３０（キャリッジケース４０）の下面に設けられたランナー体３８を受け止めて、副走査方向に移動する読取ユニット３０を案内支持する。読取ユニット３０のキャリッジケース４０は、これらガイド軸３１、ガイドレール３７に支持されて、水平姿勢を維持しながらベルト駆動機構３２により副走査方向に移動される。より詳しくは、読取ユニット３０は、図４に示すように、プラテンガラス１０の下方に位置して載置原稿を読み取る載置原稿読取位置と、図１に示すように、コンタクトガラス１９の下方に位置して搬送原稿を読み取る搬送原稿読取位置との間で、副走査方向に移動される。
【００２６】
図１、図４に示すように、ＣＩＳユニット４１は、前後方向に長い有底容器状のハウジング４５内に、左右一対のキセノンランプ４６・４６と、レンズアレイ４７と、イメージセンサ基板４８とを備える。キセノンランプ４６・４６から原稿に向けて照射光を照射し、原稿からの反射光を、レンズアレイ４７を介してイメージセンサ基板４８上に結合することで、原稿画像を読み取ることができる。図１および図４において符号４９は、ハウジング４５の上方開口を防ぐ保護カバーを示す。図１、図４、および図５に示すように、ハウジング４５の底面には、前後一対のバネ５０・５０が配設されており、ＣＩＳユニット４１は、これらバネ５０・５０により、上方に向かって押し上げ付勢されている。
【００２７】
図５に示すように、ＣＩＳユニット４１のプラテンガラス１０上の載置原稿、或いはコンタクトガラス１９上の搬送原稿に対する焦点位置を一定化するため、ハウジング４５の上面の前後二箇所には、スペーサ５１が設けられている。これらスペーサ５１が、プラテンガラス１０或いはコンタクトガラス１９の下面に接触したとき、ＣＩＳユニット４１の焦点が原稿面に合致して、適正な原稿画像が得られるようになっている。
【００２８】
そのうえで本実施形態では、読取ユニット３０がガイド体２０の下方を潜って両ガラス１０・１９の間を移動する際に、読取ユニット３０がガイド体２０のシール片２７と接触することを防ぐために、シール片２７を左右方向（副走査方向）に移動可能に構成した。すなわち、本実施形態では、ガイド体２０を構成するシール片２７を、ガイドコア２５およびガイド片２６と別体に形成して、シール片２７のみが左右方向に移動可能に構成した。より詳しくは、図４に示すようにシール片２７がガイドコア２５とコンタクトガラス１９との境界部に位置して、該境界部の隙間を封止する封止位置と、図１に示すように、該封止位置よりもコンタクトガラス１９側（左方）に位置する移動位置との間で左右方向に移動可能に構成した。
【００２９】
シール片２７を移動可能に支持するための支持機構は、原稿載置台１２に設けられた前後一対のガイドレール６０・６０と、シール片２７の前後方向の両端部に設けられて、ガイドレール６０内で移動可能に構成された前後一対のスライダ６１とを備える。各ガイドレール６０内には、スライダ６１を介してシール片２７を封止位置に移動付勢するためのバネ（付勢部材）６２が配設されている。各ガイドレール６０は、フレームカバー１７から下方に伸びる支持片６３と、支持片６３の下端から前後の水平方向に伸びる水平片６４と、支持片６３および水平片６４の左端部に形成されたバネ受片６５と、支持片６３および水平片６４の右端部に形成された規制片（規制部）６６とを備える。支持片６３および水平片６４は、左右方向に長く形成されている。各ガイドレール６０の断面形状は、四角形状に形成されている。
【００３０】
スライダ６１は、各ガイドレール６０の断面形状と合致する断面四角形状に形成されたブロック体であり、その左端面にバネ受穴６７が形成されている。バネ６２はねじりコイル形の圧縮バネであり、バネ受片６５を基点としてスライダ６１を右方向へ移動付勢する。バネ６２によるスライダ６１の右方向への移動限界は規制片６６により規制されており、スライダ６１が右方向の移動限界まで移動したとき、図４に示すようにシール片２７は封止位置に位置するようになっている。
【００３１】
図５に示すように、読取ユニット３０のキャリッジケース４０の上端の高さ位置は、シール片２７の下端の高さ位置よりも高位置に設定されている。従って、読取ユニット３０の載置原稿読取位置（図４参照）から搬送原稿読取位置（図１参照）への移動に伴って、シール片２７は封止位置から移動位置に従動的に移動されるようになっている。
【００３２】
以上のような構成からなる画像読取装置においては、例えば、読取ユニット３０がプラテンガラス１０の下方位置にあるときには、図４に示すように、ガイド体２０のシール片２７はバネ６２の付勢力を受けて規制片６６に接触しており、封止位置に位置している。つまり、読取ユニット３０が載置原稿読取位置にあるときには、シール片２７は封止位置に位置している。
【００３３】
この状態から原稿押さえカバー１３上に原稿が置かれたことが検知されると、ベルト駆動機構３２の駆動力を受けて、読取ユニット３０は、載置原稿読取位置（図４参照）からコンタクトガラス１９側の搬送原稿読取位置に移動する（図１参照）。つまり、読取ユニット３０は、プラテンガラス１０の下方位置から、ガイド体２０を構成するガイドコア２５の下方を潜ってコンタクトガラス１９の下方に移動する。このとき、読取ユニット３０がガイド体２０の下方に至り、キャリッジケース４０の上端がシール片２７の下端に接触すると、シール片２７は、読取ユニット３０に押されて左方へ従動的に移動する。換言すれば、読取ユニット３０は、バネ６２の付勢力に抗しながら、シール片２７を封止位置から移動位置に向かって移動させる。図１に、シール片２７が移動位置に至った状態（読取ユニットが搬送原稿読取位置に至った状態）を示す。なお、図６においては、読取ユニット３０が載置原稿読取位置にあるとともに、シール片２７が封止位置にある状態を実線で示しており、読取ユニット３０が搬送原稿読取位置にあるとともに、シール片２７が移動位置にある状態を仮想線で示している。
【００３４】
シール片２７が移動位置から封止位置に至る動作は、先とは逆の手順で行われる。すなわち、図１に示す状態から、読取ユニット３０が右方向に移動されると、シール片２７はバネ６２の付勢力を受けて、ガイドレール６０に案内支持されながら右方向に移動する。シール片２７の移動限界は、スライダ６１がガイドレール６０の規制片６６に接触することで規制される。
【００３５】
以上のように、本実施形態においては、ガイド体２０を構成するシール片２７を、ガイドコア２５およびガイド片２６と別体に形成し、読取ユニット３０の載置原稿読取位置から搬送原稿読取位置への移動に伴ってシール片２７が副走査方向に移動するように構成した。このように、シール片２７を移動可能に構成していると、シール片２７に対する乗り越え動作を行うことなく、読取ユニット３０を載置原稿読取位置と搬送原稿読取位置との間で移動させることができる。以上より、読取ユニット３０がガイド体２０のシール片２７を乗り越える際の衝突衝撃により、ＣＩＳユニット４１の焦点位置が位置ズレすること、或いはＣＩＳユニット４１が振動することなどを防ぐことができる。従って、読取ユニット３０がガイド体２０の下を移動するときに、ＣＩＳユニット４１が上下に移動することがなく、衝撃を抑えることができ、原稿の読取精度に優れた画像読取装置７を得ることができる。
【００３６】
読取ユニット３０が一定の高さ位置を維持しながら、ベルト駆動機構３２により副走査方向へ走行移動されるので、読取ユニット３０を支持するためのガイド軸３１を直線化して、駆動機構の簡素化を図ることができる。また、キャリッジケース４０にベルト駆動機構３２の動力伝達機構を直線的に連結したので、読取ユニット３０を安定的に駆動することができる。
【００３７】
また、ベルト駆動機構３２の駆動力を受けて搬送原稿読取位置に移動される読取ユニット３０により、シール片２７が封止位置から移動位置へ従動的に移動されるようにし、バネ６２の付勢力によりシール片２７は、移動位置から封止位置に移動されるようにした。これによれば、シール片２７を移動位置に移動させるための専用の駆動機構を設ける必要が無く、その分だけ、構造の簡素化を図ることができる。また、シール片２７の移動タイミングの制御等も不要であり、簡単に、最良のタイミングで、移動位置と封止位置との間でシール片２７を移動させることができる。
【００３８】
また、本実施形態においては、シール片２７の前後方向の両端部のそれぞれを、ガイドレール６０内に設けられたバネ６２・６２により、封止位置に向かって付勢し、規制片６６によりシール片２７の封止位置における移動限界を規制した。これによれば、封止位置にシール片２７を位置させることができるので、ガイドコア２５とコンタクトガラス１９の隙間から原稿載置台１２内への塵埃の侵入を防ぐことができる。従って、画像読取装置７の動作不良等の発生を抑えて、信頼性に優れた画像読取装置を得ることができる。
【００３９】
上記の実施形態においては、シール片２７は、コンタクトガラス１９とガイドコア２５との隙間からの塵埃の侵入を防ぐものであったが、本発明はこれに限られず、プラテンガラス１０とガイドコア２５との隙間からの塵埃の侵入を防ぐものであってもよい。また、ガイドコア２５と両ガラス１０・１９の隙間からの侵入を防ぐものであってもよい。
【００４０】
シール片２７又は読取ユニット３０に磁石を設けて、該磁石に由来する磁気吸着力により、シール片２７が読取ユニット３０と共に移動する形態を採ることもできる。すなわち、読取ユニット３０が搬送原稿読取位置から載置原稿読取位置に移動するときには、磁気吸着力によりシール片２７が読取ユニット３０に吸着されて一体的に移動して、封止位置に移動する形態を採ることができる。この場合には、シール片２７を封止位置に移動させるためのバネ６２は不要である。なお、この形態においても、シール片２７の右方向への移動限界は規制片６６で規制することが必要であり、シール片２７が封止位置に至ると、磁気吸着力が解かれて、読取ユニット３０のみが右方向に移動する。
【符号の説明】
【００４１】
７  画像読取装置
９  自動原稿読取装置（ＡＤＦ）
１０  プラテンガラス
１２  原稿載置台
１９  コンタクトガラス
２０  ガイド体
２５  ガイドコア
２６  ガイド片
２７  シール片
３０  読取ユニット
３２  駆動機構（ベルト駆動機構）
６２  付勢部材（バネ）
６６  規制部（規制片）
【図１】
2012129649.tif 000003
【図２】
2012129649.tif 000004
【図３】
2012129649.tif 000005
【図４】
2012129649.tif 000006
【図５】
2012129649.tif 000007
【図６】
2012129649.tif 000008